(57)【要約】【課題】長毛や癖毛を剃り残し無く処理することが容易であり、且つ鼻下や顎先、顎下等の細部においても短く剃ることが容易であり、しかも作業時に使用者に与える痛みを抑制することのできる電気かみそりを提供する。【解決手段】モータを内蔵する本体部１と、本体部１上端の刃面Ｓに並設される複数の外刃４と、各外刃４の内側を摺動するようにモータにより駆動される複数の内刃とを具備する電気かみそりにおいて、上記刃面Ｓには複数の外刃４として、第１のネット刃４ａと、仕上げ用ネット刃４ｂと、スリット刃４ｃと、第２のネット刃４ｄとをこの順に前後方向に並設する。仕上げ用ネット刃４ｂは、第１及び第２のネット刃４ａ，４ｄよりも短く剃るように設けたものである。【選択図】図１
2010099493.tif 000002
【特許請求の範囲】
【請求項１】
モータを内蔵する本体部と、本体部上端の刃面に並設される複数の外刃と、各外刃の内側を摺動するようにモータにより駆動される複数の内刃とを具備する電気かみそりにおいて、上記刃面には複数の外刃として、第１のネット刃と、仕上げ用ネット刃と、スリット刃と、第２のネット刃とをこの順に並設し、上記仕上げ用ネット刃は、外刃の並設方向の刃幅を、第１及び第２のネット刃の刃幅よりも小さく設けることで、第１及び第２のネット刃よりも短く剃るように設けたものとすることを特徴とする電気かみそり。
【請求項２】
モータを内蔵する本体部と、本体部上端の刃面に並設される複数の外刃と、各外刃の内側を摺動するようにモータにより駆動される複数の内刃とを具備する電気かみそりにおいて、上記刃面には複数の外刃として、第１のネット刃と、仕上げ用ネット刃と、スリット刃と、第２のネット刃とをこの順に並設し、上記仕上げ用ネット刃は、第１及び第２のネット刃よりも刃厚を少なくとも部分的に薄く設けることで、第１及び第２のネット刃よりも短く剃るように設けたものとすることを特徴とする電気かみそり。
【請求項３】
第１及び第２のネット刃と仕上げ用ネット刃を、上方への付勢力を伴って上下動自在に配設するとともに、第１及び第２のネット刃のうち使用時に後側に位置する方に働く付勢力を、第１及び第２のネット刃のうち使用時に手前側に位置する方に働く付勢力、及び仕上げ用ネット刃に働く付勢力よりも大きく設けたことを特徴とする請求項１又は２に記載の電気かみそり。
【請求項４】
他の外刃との間に配されて上方への付勢力を低減させるように働くばね機構を、第１及び第２のネット刃のうち使用時に手前側に位置する方と、仕上げ用ネット刃の少なくとも一方に設けたことを特徴とする請求項３に記載の電気かみそり。
【請求項５】
第１及び第２のネット刃のうち使用時に手前側に位置する方を、後側に位置する方よりも低い位置に設けたことを特徴とする請求項１〜４のいずれか一項に記載の電気かみそり。
【請求項６】
使用時において手前側に第１のネット刃が位置し、且つ後側に第２のネット刃が位置するように設けたことを特徴とする請求項１〜５のいずれか一項に記載の電気かみそり。
【発明の詳細な説明】
【技術分野】
【０００１】
本発明は、複数の外刃を備える電気かみそりに関するものである。
【背景技術】
【０００２】
外刃に対して内刃を摺動させる構成の電気かみそりにおいて、複数の外刃を刃面上に配置したものが従来から提案されている。例えば特許文献１には、三つのネット刃を刃面上に並設させたものが提案されている。しかし、上記電気かみそりにあっては、外刃としてスリット刃を備えていないことから、長毛や癖毛を剃り残す可能性が高いという問題や、仕上げに時間がかかるという問題があった。
【０００３】
これに対して特許文献２や特許文献３には、刃面上にネット刃とスリット刃を配設したものが提案されている。特許文献２に記載のものは、ネット刃、スリット刃、ネット刃の順に配置させた構成であり、両側のネット刃に挟まれるスリット刃によって長毛や癖毛を切断するようになっている。しかしこの電気かみそりにあっては、両側のネット刃の刃厚や刃幅を小さく設けることが困難であり、したがって体毛を短く剃るには限界があるという問題があった。というのも、一般的にネット刃の刃厚や刃幅を小さくする程に、ネット刃の刃孔から内刃側に肌を突出させ易くなって体毛を短く剃ることが可能になるのだが、両端に配されるネット刃は肌に強く当たる部分であることから、この両端に配されるネット刃の刃厚や刃幅を小さく設けると作業時に使用者が痛みを感じるという問題があるからである。即ち特許文献２に記載のものでは、痛みを感じることなく体毛を短く剃ることが困難であった。
【０００４】
また特許文献３に記載のものは、スリット刃、ネット刃、ネット刃、スリット刃の順に配設させた構成であり、両側のスリット刃によって長毛や癖毛を切断するようになっている。しかしこの電気かみそりにあっては、両端がスリット刃になっていることから、例えば鼻下や顎先、顎下等の細部を短く剃ることが困難であるという問題や、使用者にとっては強く押し付けられる部分にスリット刃があって肌当たりが悪いという問題があった。即ち引用文献３に記載のものにあっても、痛みを感じることなく体毛を短く剃ることは困難であった。
【先行技術文献】
【特許文献】
【０００５】
【特許文献１】特許第２８４１３１０号公報
【特許文献２】特許第２５３９１４９号公報
【特許文献３】特許第３６０９５８０号公報
【発明の概要】
【発明が解決しようとする課題】
【０００６】
本発明は上記問題点に鑑みて発明したものであって、長毛や癖毛を剃り残し無く処理することが容易であり、且つ鼻下や顎先、顎下等の細部においても短く剃ることが容易であり、しかも作業時に使用者に与える痛みを抑制することのできる電気かみそりを提供することを課題とするものである。
【課題を解決するための手段】
【０００７】
上記課題を解決するために本発明を、モータ１８を内蔵する本体部１と、本体部１上端の刃面Ｓに並設される複数の外刃４と、各外刃４の内側を摺動するようにモータ１８により駆動される複数の内刃１５とを具備する電気かみそりにおいて、上記刃面Ｓには複数の外刃４として、第１のネット刃４ａと、仕上げ用ネット刃４ｂと、スリット刃４ｃと、第２のネット刃４ｄとがこの順に並設されていることを特徴としたものとする。
【０００８】
上記構成の電気かみそりにあっては、粗剃り用のスリット刃４ｃがあるために長毛や癖毛を剃り残し無く処理することが容易であり、且つ鼻下や顎先、顎下等の細部においても仕上げ用ネット刃４ｂがあるために短く仕上げることが容易である。しかも、この仕上げ用ネット刃４ｂとスリット刃４ｃを挟む両側に第１及び第２のネット刃４ａ，４ｄを配しているので、更に剃り残しがなくなって仕上がりが良好になる。加えて、肌に強く押し付けられる両端に第１及び第２のネット刃４ａ，４ｄが配してあることで、内側の仕上げ用ネット刃４ｂやスリット刃４ｃが肌に強く押し当たることが防止される。これにより作業時に使用者に与える痛みを抑制することができる。
【０００９】
ここで、仕上げ用ネット刃４ｂは、外刃４の並設方向の刃幅Ｗｂを、第１及び第２のネット刃４ａ，４ｄの刃幅Ｗａ，Ｗｄよりも小さく設けることで、第１及び第２のネット刃４ａ，４ｄよりも短く剃るように設けたものであることが好適である。このようにすることで、仕上げ用ネット刃４ｂは曲率半径の小さなものとなり、この仕上げ用ネット刃４ｂを用いて第１及び第２のネット刃４ａ，４ｄよりも更に短く剃ることが可能になる。加えて、刃面Ｓ全体の幅もコンパクト化することができ、鼻下等の細部が剃り易くなるとともに顎下にも刃面Ｓを当て易くなる。
【００１０】
また仕上げ用ネット刃４ｂは、第１及び第２のネット刃４ａ，４ｄよりも刃厚Ｔを少なくとも部分的に薄く設けることで、第１及び第２のネット刃４ａ，４ｄよりも短く剃るように設けたものであってもよい。このようにすることで、仕上げ用ネット刃４ｂの刃厚Ｔを薄く設けた部分が、体毛と肌との間に入り込み易くなる。したがって、特に癖毛や寝た状態の体毛が多く存在する顎下においても、体毛を起こして短く剃ることが容易となる。
【００１１】
また第１及び第２のネット刃４ａ，４ｄと仕上げ用ネット刃４ｂを、上方への付勢力を伴って上下動自在に配設するとともに、第１及び第２のネット刃４ａ，４ｄのうち使用時に後側に位置する方に働く付勢力を、第１及び第２のネット刃４ａ，４ｄのうち使用時に手前側に位置する方に働く付勢力、及び仕上げ用ネット刃４ｂに働く付勢力よりも大きく設けることも好適である。このようにすることで、刃面Ｓを肌に押し当てた状態で手前側から後側へと滑らせていく場合に、肌を引っ張って体毛を大きく引き出した状態にしたうえで、体毛を剃ることができる。これにより、更に短く剃ることが可能になるとともに、肌当たりも向上する。
【００１２】
更に、付勢力をこのように設定するために、他の外刃４との間に配されて上方への付勢力を低減させるように働くばね機構を、第１及び第２のネット刃４ａ，４ｄのうち使用時に手前側に位置する方と、仕上げ用ネット刃４ｂの少なくとも一方に設けることも好適である。このようにすることで、簡単な構造により外刃４毎に最適な付勢力を設定することができる。
【００１３】
また、第１及び第２のネット刃４ａ，４ｄのうち使用時に手前側に位置する方を、後側に位置する方よりも低い位置に設けることも好適である。このようにすることで、第１及び第２のネット刃４ａ，４ｄのうち使用時に後側に位置する方を用いて鼻下等の細部を短く仕上げることが可能になるとともに、刃面Ｓを顎下に当てる際には各外刃４が肌の湾曲に沿い易くなって剃り味や肌当たりが向上する。
【００１４】
また、使用時において手前側に第１のネット刃４ａが位置し、且つ後側に第２のネット刃４ｂが位置するように設けることも好適である。このようにすることで、使用時には手前側から後側に向けて、第１のネット刃４ａ、仕上げ用ネット刃４ｂ、スリット刃４ｃ、第２のネット刃４ｄの順に並設されることとなる。したがって、鼻下等の細部に刃面Ｓを当てて後側に滑らせながら剃る際には、まず粗剃り用のスリット刃４ｃで癖毛や長毛を短くした後に仕上げ用ネット刃４ｂに導入して短く仕上げることができる。即ち、鼻下等の細部にあっては、主に内側の仕上げ用ネット刃４ｂとスリット刃４ｃを用いて短く仕上げることが可能である。
【００１５】
なお、以上述べた各構成は、本発明の趣旨を逸脱しない限り適宜組合せ可能である。
【発明の効果】
【００１６】
請求項１に係る発明は、第１及び第２のネット刃よりも更に短く剃ることができる仕上げ用ネット刃を用いて、長毛や癖毛を剃り残し無く処理することが容易であり、且つ鼻下や顎先、顎下等の細部においても短く剃ることが容易であり、しかも作業時に使用者に与える痛みを抑制することができるといった効果や、刃面全体の幅をコンパクト化することができ、鼻下等の細部が剃り易くなるとともに顎下にも刃面を当て易くなるという効果を奏する。
【００１７】
また請求項２に係る発明は、第１及び第２のネット刃よりも更に短く剃ることができる仕上げ用ネット刃を用いて、長毛や癖毛を剃り残し無く処理することが容易であり、且つ鼻下や顎先、顎下等の細部においても短く剃ることが容易であり、しかも作業時に使用者に与える痛みを抑制することができるといった効果や、仕上げ用ネット刃の刃厚を薄く設けた部分が、体毛と肌との間に入り込み易くなり、特に癖毛や寝た状態の体毛が多く存在する顎下においても、体毛を起こして短く剃ることが容易になるという効果を奏する。
【００１８】
また請求項３に係る発明は、請求項１又は２に記載の発明の効果に加えて、刃面を肌に押し当てた状態で手前側から後側へと滑らせていく場合に、肌を引っ張って体毛を大きく引き出した状態にしたうえで体毛を剃ることができ、これにより更に短く剃ることが可能になるとともに肌当たりも向上するという効果を奏する。
【００１９】
また請求項４に係る発明は、請求項３に記載の発明の効果に加えて、簡単な構造により外刃毎に最適な付勢力を設定することができるという効果を奏する。
【００２０】
また請求項５に係る発明は、請求項１〜４のいずれか一項に記載の発明の効果に加えて、第１及び第２のネット刃のうち使用時に後側に位置する方を用いて鼻下等の細部を短く仕上げることが可能になるとともに、刃面を顎下に当てる際には各外刃が肌の湾曲に沿い易くなって剃り味や肌当たりが向上するという効果を奏する。
【００２１】
また請求項６に係る発明は、請求項１〜５のいずれか一項に記載の発明の効果に加えて、鼻下等の細部に刃面当てて後側に滑らせながら剃る際には、まず粗剃り用のスリット刃で長毛を短くした後に仕上げ用ネット刃に導入して短く仕上げることができるという効果を奏する。
【図面の簡単な説明】
【００２２】
【図１】本発明の実施形態における一例の電気かみそりの要部斜視図である。
【図２】同上の電気かみそりの要部側断面図である。
【図３】同上の電気かみそりの全体正面図である。
【図４】同上の電気かみそりの外刃カセットや内刃を示す分解斜視図である。
【図５】同上の電気かみそりの外刃カセットや内刃を外した状態のヘッド部を示す斜視図である。
【図６】同上の電気かみそりのばね構造を示す説明用断面図である。
【図７】同上の電気かみそりのヘッド部を示す側断面図である。
【図８】同上の電気かみそりを用いて顎下を剃る場合を示す説明図である。
【図９】同上の電気かみそりを用いて顎先を剃る場合を示す説明図である。
【図１０】同上の電気かみそりの仕上げ用ネット刃を示す平面図である。
【図１１】同上の電気かみそりの仕上げ用ネット刃を示す要部斜視図である。
【図１２】図１１のＡ−Ａ線断面図である。
【発明を実施するための形態】
【００２３】
以下、本発明を添付図面に示す実施形態に基づいて説明する。本発明の実施形態における一例の電気かみそりの全体は図３に示すようなものであり、電池（図示せず）を内蔵するとともに正面にスイッチ部４０を露出させてあるグリップ部２と、このグリップ部２の長手方向端部に揺動自在に接続させたヘッド部３とで、本体部１の主体を成している。以下、このグリップ部２に対してヘッド部３が接続してある方向を上方向とし、グリップ部２を把持してヘッド部３の刃面Ｓを肌に当てる際の手前側を前側、この反対側を後側として説明する。なお、通常の使用時に使用者がヘッド部３の刃面Ｓを肌に当てながら該ヘッド部３を動かす方向（即ち、剃り方向）は前後方向であり、後述の如く、各外刃４の短手方向Ｙ（内刃１５の往復摺動方向と直交する方向）がこの剃り方向となる。
【００２４】
図１等に示すように、ヘッド部３に装着される外刃カセット３０の上端面には、多数の外刃４が前後方向に一列に配設される刃面Ｓを形成してある。外刃４として具体的には、前側から後側へと向けて、第１のネット刃４ａ、仕上げ用ネット刃４ｂ、スリット刃４ｃ、第２のネット刃４ｄが並設されている。
【００２５】
ネット刃４ａ，４ｂ，４ｄはいずれも、上方が凸となるように短手方向Ｙに沿ってＵ字状に湾曲させた長板状部材に多数の体毛導入用の刃孔５（図１０，図１１参照）を穿設したものであり、第１及び第２のネット刃４ａ，４ｄの刃幅Ｗａ，Ｗｄに比較して仕上げ用ネット刃４ｂはその刃幅Ｗｂを小さく設けてある（図２参照）。なお、この刃幅Ｗａ，Ｗｂ，Ｗｄは、各ネット刃４ａ，４ｂ，４ｄにおける短手方向Ｙ（換言すれば、外刃４の並設方向である前後方向）の幅のことである。このように、仕上げ用ネット刃４ｂは他のネット刃４ａ，４ｂに比して刃幅Ｗｂ、つまり湾曲される曲率半径を小さく設けているので、表面に押し付けた肌を刃孔５から大きく内側に突出させて体毛を短く剃ることが可能になっている。更に、仕上げ用ネット刃４ｂは、第１及び第２のネット刃４ａ，４ｄよりも少なくとも部分的に薄く形成してあるが、この点については後述する。
【００２６】
スリット刃４ｃは、その短手方向Ｙに沿ってコ字状に湾曲させた長板状部材に、その平坦な上壁から側壁に至る体毛導入用の多数のスリットを穿設したものである。仕上げ用ネット刃４ｂを挟んでスリット刃４ｃと反対側となる位置には、肌ガード部材６が取り付けてあり、この仕上げ用ネット刃４ｂを前後に挟むスリット刃４ｃと肌ガード部材６とによって、曲率半径の小さな仕上げ用ネット刃４ｂに肌が強く押し付けられることを効果的に防止している。
【００２７】
図４等に示すように、外刃４を成す各ネット刃４ａ，４ｂ，４ｄ及びスリット刃４ｃは、それぞれ専用の外刃枠７ａ，７ｂ，７ｄ，７ｃに取り付けられており、更に第１及び第２のネット刃４ａ，４ｄが取り付けられる外刃枠７ａ，７ｄには、それぞれ前側及び後側の外刃カバー８ａ，８ｄが取り付けられている。この前側及び後側の外刃カバー８ａ，８ｄと、両外刃カバー８ａ，８ｄに挟まれる二つの外刃枠７ｂ,７ｃとは、それぞれに設けてあるリブ９ａ，９ｂ，９ｃ，９ｄを外刃フレーム１０の上下溝１１ａ，１１ｂ，１１ｃ，１１ｄに係合させることで、独立して上下動自在に保持させている。これにより外刃カセット３０が構成される。
【００２８】
各ネット刃４ａ，４ｂ，４ｄ及びスリット刃４ｃを上下動自在に保持することとなる外刃フレーム１０は、ヘッド部３の両側部に設けた着脱釦１２によって、ヘッド部３の上端に着脱自在に装着される。外刃フレーム１０即ち外刃カセット３０の装着により、ヘッド部３の駆動桿１３ａ，１３ｂ，１３ｃ，１３ｄを露出させてある上端面（図５参照）の上方には、密閉された内刃収納空間が形成される。
【００２９】
内刃１５は、外刃４を成す各ネット刃４ａ，４ｂ，４ｄ及びスリット刃４ｃに対して専用のものが設置される。即ち図４に示すように、各ネット刃４ａ，４ｂ，４ｄの下方においては、対応するネット刃４ａ，４ｂ，４ｄの湾曲に沿うＵ字状の内刃１５ａ，１５ｂ，１５ｄが、基台１４ａ，１４ｂ，１４ｄに固定した状態で配してある。またスリット刃４ｃの下方においては、このスリット刃４ｃの湾曲に沿うコ字状のスリット内刃１５ｃが基台１４ｃに固定した状態で配してある。
【００３０】
これら各基台１４ａ，１４ｂ，１４ｃ，１４ｄは、ヘッド部３の上端面から突出させてある専用の駆動桿１３ａ，１３ｂ，１３ｃ，１３ｄに装着される。内刃１５ａ，１５ｂ，１５ｄの基台１４ａ，１４ｂ，１４ｄが装着される駆動桿１３ａ，１３ｂ，１３ｄは、内部に備えてある押し上げばね１６ａ，１６ｂ，１６ｄの復元力により、各内刃１５ａ，１５ｂ，１５ｄに上方への付勢力を与えて各ネット刃４ａ，４ｂ，４ｄ内面に押し付ける。またスリット内刃１５ｃの基台１４ｃは、左右一対のスリット押し上げばね１７を介して外刃枠７ｃに弾性的に連結され、このスリット押し上げばね１７の復元力によりスリット内刃１５ｃに付勢力を与えてスリット刃４ｃの内面に押し付ける。スリット内刃１５ｃ用の駆動桿１３ｃは、外刃フレーム１０がヘッド部３に装着される際に基台１４ｃの溝部に連結されるようになっている。
【００３１】
ヘッド部３内には、各内刃１５ａ，１５ｂ，１５ｃ，１５ｄを往復駆動するためのモータ１８として、図２や図７に示すようなリニアモータを内蔵している。このモータ１８は、第１のネット刃４ａ及び仕上げ用ネット刃４ｂと対応する内刃１５ａ，１５ｂに連結される一対の駆動桿１３ａ，１３ｂを一体に往復駆動させるとともに、第２のネット刃４ｄと対応する内刃１５ｄに連結される駆動桿１３ｄを、前記一対の駆動桿１３ａ，１３ｂとは逆方向に往復駆動させる。スリット内刃１５ｃに連結される駆動桿１３ｃは駆動桿１３ｄから前方に延設されており、駆動桿１３ｄと一体に往復駆動される。
【００３２】
したがって、グリップ部２のスイッチ部４０を操作してモータ１８をオンにすると、前側の内刃１５ａ，１５ｂが駆動桿１３ａ，１３ｂを介して第１のネット刃４ａ及び仕上げ用ネット刃４ｂの内面に往復摺動するとともに、これと反対方向に向けて、後側のスリット内刃１５ｃ及び内刃１５ｄが駆動桿１３ｃ，１３ｄを介してスリット刃４ｃ及び第２のネット刃４ｄの内面に往復摺動するものである。
【００３３】
また、所定の上下範囲内にて上下動自在に設置される各ネット刃４ａ，４ｂ，４ｄ及びスリット刃４ｃには、それぞれ上方への付勢力が付与されている。各ネット刃４ａ，４ｂ，４ｄにおいては、その内面に当たる各内刃１５ａ，１５ｂ，１５ｄを上方に押し上げる押し上げばね１６ａ，１６ｂ，１６ｄがこの付勢手段として機能し、スリット刃４ｃにおいては、隣接する仕上げ用ネット刃４ｂの外刃枠７ｂとの間に配される連結ばね１９（図４，図６参照）がこの付勢手段として機能する。
【００３４】
肌ガード部材６は、仕上げ用ネット刃４ｂを固定する外刃枠７ｂと一体に形成されており、この仕上げ用ネット刃４ｂ及び外刃枠７ｂと一体に、上方への付勢力を伴って上下動自在に配された構造となっている。
【００３５】
図６には、前側の二つのネット刃４ａ，４ｂ（即ち、第１のネット刃４ａと仕上げ用ネット刃４ｂ）に働く上方への付勢力を低減させるように働くばね機構を示している。このばね機構は、圧縮状態で配される前述の連結ばね１９と、仕上げ用ネット刃４ｂと第１のネット刃４ａとの間に圧縮状態で配される連結ばね２０とで主体を成している。連結ばね１９は、仕上げ用ネット刃４ｂを固定する外刃枠７ｂの下端部から後方に延設されるアーム２１の上面にその下端を係止させ、且つスリット刃４ｃを固定する外刃枠７ｃの下面にその上端を当接させたものである。また連結ばね２０は、第１のネット刃４ａを固定する外刃枠７ａの下端部から後方に延設されるアーム２２の上面にその下端を係止させ、且つ仕上げ用ネット刃４ｂを固定する外刃枠７ｂの下面にその上端を当接させたものである。
【００３６】
ここで、初期状態（即ち、肌の押し当てによる下方への押し下げ力が働いていない状態）において連結ばね１９が発生させる伸張方向の弾性力は、連結ばね２０が発生させる伸張方向の弾性力よりも大きくなるように設定してある。また、各押し上げばね１６ａ，ｂ，ｄが各ネット刃４ａ，４ｂ，４ｄを押し上げる付勢力は、連結ばね１９よりも大きな付勢力で略一致させてある。これにより仕上げ用ネット刃４ｂには、連結ばね１９の弾性力から連結ばね２０の弾性力を減じた弾性力が下向きに働き、第１のネット刃４ａには、連結ばね２０の弾性力が下向きに働く。
【００３７】
つまり本例にあっては上記ばね構造により、ヘッド部３の刃面Ｓを肌に押し付けた際に、最も後方に位置する第２のネット刃４ｄに働く上方への付勢力と比べて、第１のネット刃４ａと仕上げ用ネット刃４ｂに働く上方への付勢力の方が小さくなるように設けてある。各ネット刃４ａ，４ｂ，４ｄに働く付勢力のバランスをこのような大小関係にすれば、例えば肌に押し当てた刃面Ｓを後方に滑らせていく際に、最も付勢力が大きく抵抗の強い第２のネット刃４ｄにより肌を後方に引っ張り、体毛を肌表面から大きく引き出した状態として短く仕上げることが可能となる。
【００３８】
なお、上記ばね構造の連結ばね１９，２０は必ずしも両方を備える必要は無く、一方だけを備えるか或いは両方共に備えていない構成であっても、押し上げばね１６ａ，１６ｂ，１６ｃ等の種類や配置を調整することで、第２のネット刃４ｄに働く付勢力を、第１のネット刃４ａおよび仕上げ用ネット刃４ｂに働く付勢力よりも大きく設けることは可能である。
【００３９】
次に、各外刃４の初期状態における上下高さについて詳述する。図２に示すように、刃面Ｓの前端に位置する第１のネット刃４ａの初期状態での上下高さは、刃面Ｓの後端に位置する第２のネット刃４ｄの初期状態での上下高さよりも距離ｄ１（＝０．５〜３ｍｍ）だけ低い位置に配置してあり、仕上げ用ネット刃４ｂの初期状態での上下高さは、第２のネット刃４ｄの初期状態での上下高さと一致させてある。ここでの高さの基準となる上下方向は、各外刃４が上下動する方向である。
【００４０】
また、初期状態においてスリット刃４ｃは、第１のネット刃４ａよりも高く、且つ仕上げ用ネット刃４ｂ及び第２のネット刃４ｄよりは距離ｄ２（＜ｄ１）だけ低い位置に設けてある。更に、仕上げ用ネット刃４ｂと一体に上下動する肌ガード部材６は、仕上げ用ネット刃４ｂよりも距離ｄ３（＞ｄ２）だけ低く、且つ初期状態においては第１のネット刃４ａよりも高くなる位置に設けてある。
【００４１】
このような上下高さに設定しておくことで、例えば図８のように顎下を剃る場合には、刃面Ｓ上に並設される第１のネット刃４ａ、肌ガード部材６、仕上げ用ネット刃４ｂ、スリット刃４ｃ、第２のネット刃４ｄの全てが顎下の曲面に沿って略均等に当たり、それぞれに押し付け力を分散させながら剃り残し無く、短く仕上げることが可能となる。特に、刃幅Ｗｂが小さくて痛みを感じさせ易い仕上げ用ネット刃４ｂにおいては、前後に位置する肌ガード部材６とスリット刃４ｃとが押し付け力の分散手段として機能するので、安定的な押し付け力によって大きな刺激を生じさせることなく、顎下の髭を短く仕上げることが可能になっている。
【００４２】
一方、顎先や鼻下等の細部を剃る場合には、最も低く位置させてある手前側の第１のネット刃４ａが肌に当たることがなくなり、仕上げ用ネット刃４ｂ、スリット刃４ｃ、第２のネット刃４ｄを肌に当てながら細かく仕上げることが可能となる。特に、図９に示すように尖った顎先を小さな押し付け力で剃る場合には、第１及び第２のネット刃４ａ，４ｄが共に肌に当たらず、肌ガード部材６と仕上げ用ネット刃４ｂとスリット刃４ｃだけが肌に押し当たることとなるが、この場合でも仕上げ用ネット刃４ｂに対する押し当て力は両側の肌ガード部材６とスリット刃４ｃとに適度に分散されて痛みを感じることはない。スリット刃４ｃにあっても、肌ガード部材６と仕上げ用ネット刃４ｂとの間で分散された適度な押し付け力によって、癖毛や長毛を速やかに切断して適度な長さにした後で仕上げ用ネット刃４ｂに導入させることが可能である。
【００４３】
次に、各外刃４のうち一つが大きく下方に移動すれば隣接する他の外刃４を一体として下方に移動させる連動構造について詳述する。図７に示すように、第１のネット刃４ａを固定する外刃枠７ａの後壁からは連動リブ２３ａが突設してあり、仕上げ用ネット刃４ｂを固定する外刃枠７ｂの前壁からは、この連動リブ２３ａの下方に隙間を介して位置する受け部２４ｂを設けてある。また仕上げ用ネット刃４ｂを固定する外刃枠７ｂの後壁からは連動リブ２３ｂが突設してあり、スリット刃４ｃを固定する外刃枠７ｃの前壁からは、隙間を介してこの連動リブ２３ｂの下方に位置する突起状の受け部２４ｃを設けてある。更に第２のネット刃４ｄを固定する外刃枠７ｄの前壁からも同様の連動リブ２３ｄが突設してあり、スリット刃４ｃを固定する外刃枠７ｃの後壁からは、隙間を介してこの連動リブ２３ｄの下方に位置する同様の受け部２４ｃ′が設けてある。
【００４４】
この連動構造を備えたことで、例えば仕上げ用ネット刃４ｂ又は第２のネット刃４ｄだけが所定量を超えて下方に沈み込めば、連動リブ２３ｂと受け部２４ｃの当接又は連動リブ２３ｄと受け部２４ｃ′との当接により、スリット刃４ｃ及び外刃枠７ｃは下方へと一体に沈み込む。また第１のネット刃４ａだけが所定量を超えて下方へと沈み込めば、連動リブ２３ａと受け部２４ｂとの当接により、仕上げ用ネット刃４ｂ及び外刃枠７ｂは下方へと一体に沈み込む。また図示例では備えていないが、同様の構成により、スリット刃４ｃだけが所定量を超えて下方に沈み込むと仕上げ用ネット刃４ｂが一体に沈み込むように設けても良い。このような連動構造によって、スリット刃４ｃや仕上げ用ネット刃４ｂだけが大きく突出し、肌に強く接触して痛みを与えるという事態が防止される。
【００４５】
次に、仕上げ用ネット刃４ｂについて詳述する。図１０，図１１に示すように、仕上げ用ネット刃４ｂは、多数の刃孔５を一面に穿設することで、各刃孔５を複数の桟部２５で囲んだ形状となっている。なお、ここでの桟部２５とは、隣接する刃孔５との間にて桟状に形成される部分を意味する。多数の刃孔５のうち、少なくとも前後方向中央の領域（即ち、上が凸となるようにＵ字状に湾曲させた状態で上端側となる領域）に位置するものにおいては、各刃孔５を囲む複数の桟部２５のうち一部を、他の部分よりも刃厚Ｔが小さな（薄い）薄桟部２５ｂとして形成している（図１２参照）。
【００４６】
つまり、各刃孔５を囲む複数の桟部２５は、全体の刃厚Ｔ（＝Ｔｂ）が一様に小さな薄桟部２５ｂと、全体の刃厚Ｔ（＝Ｔａ）が一様に大きな（厚い）厚桟部２５ａとで形成されている。具体的には、六角形状を成す刃孔５の周囲を囲む都合三対の桟部２５のうち、前後方向（即ち、外刃４の短手方向Ｙ）に沿って形成される一対の桟部２５を薄桟部２５ｂとし、左右方向（即ち、外刃４の長手方向Ｘ）に沿って形成される残り二対の桟部２５を厚桟部２５ａとしている。
【００４７】
厚桟部２５ａの刃厚Ｔｂは、第１及び第２のネット刃４ａ，４ｄの刃厚と一致させてあり、仕上げ用ネット刃４ｂのうち薄桟部２５ｂの部分だけが第１及び第２のネット刃４ａ，４ｄの刃厚よりも薄い構成となっているが、仕上げ用ネット刃４ｂの全体が第１及び第２のネット刃４ａ，４ｄの刃厚よりも薄くなる構成であっても構わない。
【００４８】
刃厚Ｔを上記のように設定することで、前後方向に沿って伸びる厚桟部２５ａによって肌が刃孔５を通じて内側に大きく突出することを抑制しながら、左右方向に沿って伸びる薄桟部２５ｂによって体毛を起こして刃孔５内に導入し易くし、痛みを感じさせることなく短く仕上げることを可能にしている。
【００４９】
以上、刃面Ｓの前側から後側へと向けて、第１のネット刃４ａ、仕上げ用ネット刃４ｂ、スリット刃４ｃ、第２のネット刃４ｄの順に並設されたものについて述べたが、この配列が前後逆となっても構わない。また内刃１５の構成についても、本例のように外刃４の長手方向Ｘに摺動する往復刃に限定されず、外刃４の短手方向Ｙに摺動する回転刃であっても構わない。
【符号の説明】
【００５０】
１  本体部
４  外刃
４ａ  第１のネット刃
４ｂ  仕上げ用ネット刃
４ｃ  スリット刃
４ｄ  第２のネット刃
１５  内刃
１９  連結ばね
２０  連結ばね
Ｓ  刃面
Ｔ  刃厚
Ｗ  刃幅
Ｗａ  第１のネット刃の刃幅
Ｗｂ  仕上げ用ネット刃の刃幅
Ｗｄ  第２のネット刃の刃幅
【図１】
2010099493.tif 000003
【図２】
2010099493.tif 000004
【図３】
2010099493.tif 000005
【図４】
2010099493.tif 000006
【図５】
2010099493.tif 000007
【図６】
2010099493.tif 000008
【図７】
2010099493.tif 000009
【図８】
2010099493.tif 000010
【図９】
2010099493.tif 000011
【図１０】
2010099493.tif 000012
【図１１】
2010099493.tif 000013
【図１２】
2010099493.tif 000014